(57)【特許請求の範囲】
【請求項１】
撮像手段と、
手動操作によって撮像を指示する撮像指示手段と、
この撮像指示手段により撮像が指示された場合、この撮像指示された時点の前後所定時間内に前記撮像手段により撮像された複数の画像を取得する画像取得手段と、
この画像取得手段により得られた複数の画像を組画像データとして複数組記憶する画像記憶手段と、
この画像記憶手段に前記組画像データを記憶する際に、前記撮像指示手段により撮像が指示された時点において前記撮像手段により撮像された画像を指定画像として記憶する記憶制御手段と、
前記画像記憶手段に記憶されている各組画像データを構成する複数の画像を１画像ずつ同時に順次再生させる第１の再生制御手段と、
この第１の再生制御手段が複数の画像を１画像ずつ同時に順次再生する際に、前記記憶制御手段により指定画像として記憶されている画像同士を同一タイミングで再生させる第２の再生制御手段と、
を備えたことを特徴とする撮像装置。
【請求項２】
前記画像取得手段が複数の画像を取得する際における前記撮像指示時点前後の所定時間の長さを変更設定する変更設定手段を備えたことを特徴とする請求項１記載の撮像装置。
【請求項３】
手動操作によって撮像を指示する撮像指示工程と、
この撮像指示工程により撮像が指示された場合、この撮像指示された時点の前後所定時間内に撮像部により撮像された複数の画像を取得する画像取得工程と、
この画像取得工程により得られた複数の画像を組画像データとしてメモリに記憶する画像記憶工程と、
この画像記憶工程により前記組画像データをメモリに記憶する際に、前記撮像指示工程により撮像が指示された時点において前記撮像部により撮像された画像を指定画像として記憶する記憶制御工程と、
前記メモリに記憶されている各組画像データを構成する複数の画像を１画像ずつ同時に順次再生させる第１の再生制御工程と、
この第１の再生制御工程が複数の画像を１画像ずつ同時に順次再生する際に、前記記憶制御工程により指定画像として記憶されている画像同士を同一タイミングで再生させる第２の再生制御工程と、
からなることを特徴とする連続撮像画像の対照表示方法。
【発明の詳細な説明】
【０００１】
【発明の属する技術分野】
本発明は、複数組の連続撮像画像を比較するための撮像／表示技術に関する。
【０００２】
【従来の技術】
デジタルカメラ等の撮像装置ではシャッター操作後の所定時間内に複数の連続撮像を行なう連写機能（連写モード）や動画撮像機能（ムービー撮影モード）を備えたものがある。
【０００３】
【発明が解決しようとする課題】
ほぼ同一の動作をする被写体Ａと被写体Ｂを（別々に）連続撮像した場合に得る撮像画像は、被写体Ａと被写体Ｂの動作速度が互にほぼ一定の場合には各コマ毎の画像を比較して動作時の姿勢等を同一画面上で対照させて比較することができるが、被写体Ａと被写体Ｂの動作速度が異なる場合（例えば、ゴルフやテニスなどのようにスイングスピードが個人によって異なる場合）には最初のコマでは対応していても時間の経過により対応する動作が写っているコマがずれてくるので、被写体Ａと被写体Ｂの画像を最初のコマから順に対応させて１画面上で対照表示して比較するような場合に同じような動作同士を比較できなくなるといった問題点があった。
【０００４】
（具体例）
図１４は被写体（個人）による動作速度の相違例を示す説明図であり、ゴルフのスイングを例としている。図１４で、（ａ）はゴルファーＡのスイング開始（ｔ＝０）から２秒後（ｔ＝２）までのゴルフヘッドの位置を示し、（ｂ）はゴルファーＢのスイング開始（ｔ＝０）から２秒後（ｔ＝２）までのゴルフヘッドの位置を示す。
【０００５】
図１４でゴルファーＡのスイング開始からインパクトの瞬間までの経過時間は１．４秒であり、ゴルファーＢの経過時間は１．８秒でインパクトの瞬間が異なるのでスイング開始時点でシャッターを押して撮像を開始すると撮像画像上、インパクトの瞬間のコマがゴルファーＡの場合は８コマ目、ゴルファーＢの場合は９コマ目となって異なることとなる。
【０００６】
図１５は連写により撮像した画像の従来方式による比較表示例であり、ゴルファーＡ，Ｂのスイングをスイング開始から別々に２秒間撮像し、記録画像を再生してゴルファーＡ，Ｂのスイングを比較するために１画面の左右にスイング開始から撮った画像をコマの順に並べて対照表示した例を示す。
【０００７】
図１５で、（ａ）はゴルファーＡ，Ｂのスイング開始（スタート）時の画像であり、この場合はＡ，Ｂの姿勢の比較ができる。
（ｂ）は１秒経過後（すなわち、６コマ目）の画像であり、ゴルファーＡの方がゴルファーＢよりスイング速度が早いことがわかる。
（ｃ）は１．４秒経過後（７コマ目）の画像であり、ゴルファーＡはインパクトしているが、ゴルファーＢは振り遅れている。
（ｄ）は１．６秒経過後（８コマ目）の画像であり、ゴルファーＡは振り抜いているが、ゴルファーＢはまだインパクトしていない。
【０００８】
（ｅ）は１．８秒経過後（９コマ目）の画像であり、ゴルファーＢがインパクトしたがゴルファーＡはスイングを終り掛けている。
【０００９】
図１５でユーザがゴルファーＡ，Ｂのインパクトの瞬間を比較しようとしても従来は（ｃ），（ｅ）に示したようにゴルファーＡ，Ｂのスイングスピードが異なるためインパクトの瞬間が写っているコマが異なり、このままでは比較できない。
【００１０】
上述したように、従来は、ユーザが連続撮像された画像のうち動作が同じ特定の画像を比較しようとしても被写体の動作速度が異なる場合にはその動作が写っているコマが異なるので、比較表示時に比較ができなかった。
【００１１】
本発明は上記問題点を解決するためになされたものであり、被写体の動作速度が異なる複数組の連続撮像画像の比較を容易に行なうことができる撮像装置および連続撮像画像の対照表示方法の提供を目的とする。
【００１２】
【課題を解決するための手段】
上記の目的を達成するために、第１の発明の撮像装置は、撮像手段と、手動操作によって撮像を指示する撮像指示手段と、この撮像指示手段により撮像が指示された場合、この撮像指示された時点の前後所定時間内に前記撮像手段により撮像された複数の画像を取得する画像取得手段と、この画像取得手段により得られた複数の画像を組画像データとして複数組記憶する画像記憶手段と、この画像記憶手段に前記組画像データを記憶する際に、前記撮像指示手段により撮像が指示された時点において前記撮像手段により撮像された画像を指定画像として記憶する記憶制御手段と、前記画像記憶手段に記憶されている各組画像データを構成する複数の画像を１画像ずつ同時に順次再生させる第１の再生制御手段と、この第１の再生制御手段が複数の画像を１画像ずつ同時に順次再生する際に、前記記憶制御手段により指定画像として記憶されている画像同士を同一タイミングで再生させる第２の再生制御手段とを備えたことを特徴とする。
【００１３】
また、第２の発明は上記第１の発明において、前記画像取得手段が複数の画像を取得する際における前記撮像指示時点前後の所定時間の長さを変更設定する変更設定手段を備えたことを特徴とする。
【００１４】
また、第３の発明の連続撮像画像の対照表示方法は、手動操作によって撮像を指示する撮像指示工程と、この撮像指示工程により撮像が指示された場合、この撮像指示された時点の前後所定時間内に撮像部により撮像された複数の画像を取得する画像取得工程と、この画像取得工程により得られた複数の画像を組画像データとしてメモリに記憶する画像記憶工程と、この画像記憶工程により前記組画像データをメモリに記憶する際に、前記撮像指示工程により撮像が指示された時点において前記撮像部により撮像された画像を指定画像として記憶する記憶制御工程と、前記メモリに記憶されている各組画像データを構成する複数の画像を１画像ずつ同時に順次再生させる第１の再生制御工程と、この第１の再生制御工程が複数の画像を１画像ずつ同時に順次再生する際に、前記記憶制御工程により指定画像として記憶されている画像同士を同一タイミングで再生させる第２の再生制御工程とからなることを特徴とする。
【００２４】
【発明の実施の形態】
＜回路構成例＞
図１は、本発明の連続撮像方法および連続撮像画像の対照表示方法を適用可能なデジタルカメラの回路構成の一実施例を示すブロック図である。
図１で、デジタルカメラ１００は、光学系１１、信号変換部１２、信号処理部１３、ＤＲＡＭ１４、制御部２０、操作部３０、表示部４０、フラッシュメモリ５０および電源９０を有している。
【００２５】
光学系１１は、撮像レンズ１１１および自動絞り機構等（図示せず）を含み、撮像レンズ１１１を介して集光された被写体像の光束を後段の撮像素子（ＣＣＤ）上に結像させる。
【００２６】
信号変換部１２は、ＣＣＤおよび信号変換回路等を含み、前段の光学系１１を介してＣＣＤに結像した画像を電気信号に変換し、デジタルデータに変換して一定の周期で出力する。
【００２７】
信号処理部１３は、通常撮像モード時には信号変換部１２からの出力を処理して、デジタルの輝度、色差マルチプレクス信号（Ｙ，Ｃｂ，Ｃｒデータ）等の信号成分を得て、Ｙ，Ｃｂ，Ｃｒデータ（以下、画像データ）をＤＲＡＭ１４に転送し、一時的に記憶する。また、スルー画像（動画）表示するために、取込んだ画像データを間引いて表示部４０に送る。また、シャッター操作がされるとその時点の画像データを表示部４０に送って静止画表示させる。
【００２８】
信号処理部１３は、また、記録保存の際にＤＲＡＭ１４に書込まれている画像データを読み出してＪＰＥＧ圧縮処理を施し、再生時に記録用メモリ（フラッシュメモリ）５０に保存記録されていた画像データに伸張処理を施して画像データを再生する。
【００２９】
ＤＲＡＭ１４は作業用メモリとして用いられ、撮像画像を一時的に記憶する画像バッファ領域やＪＰＥＧ圧縮／伸張時の作業用領域等が確保される。
【００３０】
制御部２０はＣＰＵ、ＲＡＭ、プログラム格納用ＲＯＭおよびタイマー等を有したマイクロプロセッサ構成を有しており、ＣＰＵは、上述の各回路および図示しない電源切換えスイッチ等にバスラインを介して接続し、プログラム格納用ＲＯＭに格納されている制御プログラムによりデジタルカメラ１００全体の制御を行なうと共に、操作部３０からの状態信号に対応してプログラム格納用ＲＯＭに格納されている各モードに対応の処理プログラムを取り出して、デジタルカメラ１００の各機能の実行制御、例えば、撮像や記録画像の再生機能の実行等を行なう他、撮像時の注目画像指定プログラムによる連続撮像時の注目画像特定処理の実行（または撮像後の注目画像指定プログラムによる注目画像の特定処理）および画像対照表示手段による注目画像を基準とした画像の対照表示等を行なう。
【００３１】
操作部３０は処理モード切替えスイッチ、機能選択用ボタン、メインスイッチ、シャッターボタン３６および注目画像特定ボタン３７、図示しない前後スクロールボタンやスクロール終了ボタン等のスイッチやボタンを構成部分としており、これらのスイッチ或いはボタンが操作されると状態信号が制御部２０に送出される。
【００３２】
また、シャッターボタン３６は本実施例では２段構造のスイッチであり、通常撮像時にはシャッターボタン３６を２段押し（シャッター全押し）すると撮像が行なわれる。また、連写モードやムービー撮影モード等のような連続撮像時には、シャッターボタン３６を全押しすると、連続撮像が開始される。また、シャッターボタン３６の全押し後にシャッターボタン３６を半押しすると、その時点の画像が注目画像として特定されマーク付け（後述）が行なわれる。なお、注目画像の特定指示操作をシャッターボタン３６の半押し操作に代えて、注目画像特定ボタン（例えば、ボタン３７）の押し下げにより行なうようにしてもよい。
【００３３】
表示部４０はビデオエンコーダ、ＶＲＡＭおよび液晶画面（ＬＣＤ）等から構成されており、撮像時のスルー画像および再生時の再生画像、処理選択時の選択用メニューやガイド（或いはアイコン）の表示等の他、１画面上に注目動作の写っている２つの画像（注目画像：連写後にシャッター３６を半押しした時点の撮像画像）等を対照表示する。
【００３４】
フラッシュメモリ５０は信号処理部１３からの画像データを記録する。また、フラッシュメモリ５０には画像データを記録する領域および画像データの記録時に当該画像の撮像モードや撮像条件等を登録する画像情報登録リストを記録することもできる。なお、フラッシュメモリに代えて着脱可能なＩＣカードを用いるようにしてもよい。
【００３５】
［画像情報登録リスト］
図２は画像情報登録リストの構成例の説明図であり、画像情報登録リスト６０は記録画像の画像番号を格納する画像番号欄６１、撮像モードの識別コードを格納する撮像モード欄６２、撮像日時（年／月／日／時／分／秒）を格納する撮像日時欄６３、連続撮像画像の撮像開始〜撮像終了を判別するための撮像コード欄６４、注目画像フラグをセットする注目画像フラグ欄６５、およびその他の情報欄５６から構成されている。
【００３６】
デジタルカメラ１００の撮像モードがユーザによって選択されると、撮像モード欄６２には通常撮像、連写、ムービー撮影、スポーツ撮像、ＰＡＳＴ撮像等の撮像モード識別コードが格納される（図２の例では、通常撮像＝０１、連写＝１１、ムービー撮影＝１２、・・といったようにコード付けしているがこれに限定されない）。
【００３７】
また、撮像コード欄６４には図２の例では連続撮像開始（シャッターボタン３６の全押し）時の撮像画像＝１、それ以降の撮像画像＝２、連続撮像時間経過（連続撮像時間が設定されている場合）或いは連続撮像終了操作（例えば、シャッターボタン３６の全押し）時の撮像画像＝３が格納されている。
【００３８】
また、注目画像フラグ欄６５にその画像が注目画像指定操作時の画像（注目画像）の場合には注目画像の記録時にフラグ＝１が書込まれ、注目画像でない場合には０が書込まれる。なお、後述するように連続撮像の対象動作の種類毎（例えば、テニス、ゴルフ、振り付け等々）に注目画像の注目画像欄６５に書込むフラグ値を変えるようにしてもよい。
すなわち、連続撮像の対象動作の種類が同一（例えば、ゴルフのスイング）の場合には、各ゴルファーのスイングを連続撮像した各組の撮像画像中の注目画像の注目画像欄６５には同じ値のフラグ（フラグ＝１）を書込み、連続撮像の対象動作の種類が異なる（例えば、ゴルフのスイングとテニスのスイング）場合には、テニス練習者のスイングを連続撮像した画像の注目画像の注目画像欄６５には異なる値のフラグ（フラグ＝２）を書込むようにしてもよい。このようにすることにより、対照表示時に連続撮像の対象動作の種類が同一（例えば、ゴルフのスイング）の連続撮像画像を簡単に対照表示することができる。
【００３９】
＜実施例１＞
本実施例は、連写やムービー撮影等の連続撮像時に注目画像を指定することにより注目動作の写っているコマ（注目画像）に特定の識別子を付して連続撮像画像を撮像する例であり、また、このようにして特定された注目画像を記録した２組の連続撮像画像を再生時にそれぞれの注目画像を基準として対照表示する例である。
【００４０】
連写やムービー撮影等の連続撮像開始後にシャッターボタン３６の半押し（或いは、注目画像特定ボタン３７の操作）が行なわれると、注目画像として特定指示された画像に識別子標識（フラグ）が付加される。なお、注目画像を特定する識別子は実施例では画像情報登録リスト（図２）の注目画像フラグ欄に値’１’をセットすることにより行なっているが、画像番号や記録日時等を書込む画像の情報領域に直接注目画像フラグを書込むようにしてもよい。
【００４１】
［撮像時の注目画像特定／記録動作例（１）］
図３は、連続撮像時に注目画像の特定を行なう動作を含む場合のデジタルカメラの動作例を示すフローチャートである。連続撮像時の注目画像特定処理は注目画像指定手段（プログラム）に基づいて制御部２０によって行なわれる。
【００４２】
ステップＳ１：（撮像モードの判定）
撮像モードが選択されたとき、制御部２０はその撮像モードが連写モードやムービー撮影モードのような連続撮像か否かを判定し、連続撮像の場合にはＳ２に遷移し、そうでない場合には他の撮像モードの処理に遷移する。
【００４３】
ステップＳ２：（画像の取込，スルー画像表示）
制御部２０の制御下でデジタルカメラ１００はカメラの視野内の被写体画像の所定時間間隔（例えば、０．２秒間隔）での取込み、信号処理、ＤＲＡＭ１４への記憶、および表示部４０へのスルー画像表示を開始する。
【００４４】
ステップＳ３：（連続撮像開始指示操作の有無判定）
制御部２０は操作部３０から送られる状態信号を調べ、シャッターボタン３６が全押しされたか否かを判定する。シャッターボタン３６が全押しされた場合には連続撮像開始指示操作があったものとしてＳ４に遷移する。シャッターボタン３６が全押しされない場合には全押しされるまで待つ。
【００４５】
ステップＳ４：（注目画像特定指示操作の有無判定）
制御部２０は操作部３０から送られる状態信号を調べ、シャッターボタン３６が半押しされたか否かを判定する。シャッターボタン３６が半押しされた場合には注目画像特定指示操作がなされたものとしてＳ５に遷移し、そうでない場合にはＳ６に遷移する。なお、シャッターボタン３６の半押しに代えて注目画像特定指示操作（例えば、ボタン３７の押し下げ）が行なわれた場合にＳ５に遷移し、そうでない場合にはＳ６に遷移するようにしてもよい。
【００４６】
ステップＳ５：（注目画像特定指示ありの場合）
上記ステップＳ４で注目画像特定指示操作がなされた場合には、制御部２０は注目画像特定フラグをオン（フラグ値＝１）にしてＳ７に遷移する。
【００４７】
ステップＳ６：（注目画像特定指示なしの場合）
上記ステップＳ４で注目画像特定指示操作がなされなかった場合には、制御部２０は注目画像特定フラグをオフ（フラグ値＝０）にしてＳ７に遷移する。
【００４８】
ステップＳ７：（画像記録処理）
制御部２０はＤＲＡＭ１４に一時記憶された画像データを取り出してＪＰＥＧ圧縮してフラッシュメモリ５０に 保存記録する。
また、このとき同時に、画像情報登録リスト６０の画像番号欄６１に記録画像の画像番号を、撮像モード欄６２に連続撮像を意味するコード（実施例では、連写の場合は「１１」をムービー撮影の場合には「１２」）を、撮像日時欄６３に撮像年月日および撮像時刻（時／分／秒）を、撮像コード欄６４に撮像コード（実施例では、連続撮像開始時の画像には「１」、連続撮像終了時の画像には「３」、その他の時点の連続撮像画像には「２」）を、注目画像フラグ欄６５にはステップＳ５またはＳ６で設定されたフラグ値を、その他の情報欄６６には必要情報を書込む。
【００４９】
ステップＳ８：（連続撮像終了判定）
制御部２０は連続撮像が終了したか否かを調べ、終了していない場合にはＳ４に戻る。また、終了の判定は連写の場合には所定時間を経過したか否かで判定する。また、ムービー撮影の場合には連続撮像終了操作（例えば、シャッターボタン３６の全押し、あるいは電源スイッチオフ）によって判定する。なお、連写の場合に連続撮像終了操作（例えば、シャッターボタン３６の全押し）を行なうようにしてもよい。
【００５０】
なお、上記フローチャートでは注目画像を複数特定できるようにＳ４に戻るようにしたが、注目画像を１つだけ特定できるようにしてもよく、この場合には上記フローチャートで連続撮像が終了していない場合にＳ７に戻るようにすればよい。
【００５１】
また、注目画像を複数特定する場合にはフラグ値を注目画像毎に変えるようにしてもよい（例えば、ステップＳ５で注目画像をカウントし、そのカウント値をフラグ値とすることによりフラグ値を注目画像毎に変えることができる）。
【００５２】
また、上記フローチャートではステップＳ６で注目画像以外の連続撮像画像について画像登録情報リスト６０の注目画像フラグ欄６５にフラグ値＝「０」を書込むようにしたが、画像登録情報リスト６０の注目画像フラグ欄６５の初期値を「０」にしておけば、ステップＳ６を省略してもよい。
【００５３】
また、上記フローチャートでは注目画像の特定を画像情報登録リスト６０上への注目画像フラグの書込によって行なっているが、記録時に画像に特定のマークを付けるようにして注目画像を特定するようにしてもよい。
【００５４】
［撮像時の注目画像特定／記録動作例（２）］
図３のフローチャートでは連続撮像画像を順次記録しながら注目画像を特定したが、これに限られず、図１０に示すように取込んだ画像をＤＲＡＭ１４に循環記憶し、注目画像が特定された時には注目画像にコード付けすると共に、注目画像とその前後の所定時間に撮像された連続撮像画像（例えば、インパクトの前後１秒間の画像）をＤＲＡＭ１４から取り出してＪＰＥＧ圧縮処理して保存記録するようにしてもよい。なお、この場合、ＤＲＡＭ１４には複数枚の画像を記憶できるように複数の画像領域Ｇ１〜Ｇｎが確保されており、画像はＧ１〜Ｇｎに順次記憶され、取込まれた画像数がｎを越えるとＧ１に戻って画像が上書きされ記憶される（すなわち、循環記憶される）。
【００５５】
図１０は、連続撮像時に注目画像の特定を行なう動作を含む場合のデジタルカメラの動作例を示すフローチャートである。連続撮像時の注目画像特定処理は注目画像指定手段（プログラム）に基づいて制御部２０によって行なわれる。
【００５６】
ステップＳ’１：（撮像モードの判定）
撮像モードが選択されたとき、制御部２０はその撮像モードが連写モードやムービー撮影モードのような連続撮像か否かを判定し、連続撮像の場合にはＳ’２に遷移し、そうでない場合には他の撮像モードの処理に遷移する。
【００５７】
ステップＳ’２：（撮像時間設定画面の表示）
制御部２０は、表示部４０に図１１（ａ）に示すような注目画像指定前後の撮影時間Ａ、Ｂを設定する撮影時間設定（選択）画面を表示しユーザによる設定を促す。なお、撮影時間の設定に代えて図１１（ｂ）に示すような撮影枚数設定（選択）画面を表示して撮影枚数を選択できるようにしてもよい。なお、図１１（ａ）で１．２：１．０は指定時点より前の撮影時間が１．２秒、指定時点より後の撮影時間が１．０秒であることを意味する。
【００５８】
ステップＳ’３：（撮像時間の設定）
図１１（ａ）でユーザがカーソルまたはマウス等のポインティングデバイスで画面上に表示されたメニューを指定するとデジタルカメラ１００に標準設定されている注目画像指定時点の撮影時間Ａ：Ｂ（Ａは指定時点より前の撮影時間、Ｂは指定時点より後の撮影時間）が設定される（すなわち、ユーザは被写体の動作速度によって撮影枚数を変えることができる）。
また、表示されたメニューのうち「指定なし」を指定するとデジタルカメラ１００に標準設定されている注目画像指定時の撮像時間α：β（例えば、前後各１秒）が設定される。
【００５９】
ステップＳ’４：（画像の取込，スルー画像表示の開始）
制御部２０の制御下でデジタルカメラ１００はカメラの視野内の被写体画像の所定時間間隔（例えば、０．２秒間隔）での取込み、信号処理および取込んだ画像の表示部４０へのスルー画像表示を開始する。
【００６０】
ステップＳ’５：（連続撮像開始指示操作の有無判定）
制御部２０は操作部３０から送られる状態信号を調べ、シャッターボタン３６が全押しされたか否かを判定する。シャッターボタン３６が全押しされた場合には連続撮像開始指示操作があったものとしてＳ’６に遷移する。シャッターボタン３６が全押しされない場合には全押しされるまで待つ。
【００６１】
ステップＳ’６：（画像のＤＲＡＭへの循環記憶）
取込まれた画像を順次ＤＡＲＭ１４の画像記憶領域Ｇｉ（ｉ＝１〜ｎ）に循環記憶する。
【００６２】
ステップＳ’７：（注目画像特定指示操作の有無判定）
制御部２０は操作部３０から送られる状態信号を調べ、シャッターボタン３６が半押しされたか否かを判定する。シャッターボタン３６が半押しされた場合には注目画像特定指示操作がなされたものとしてＳ’８に遷移し、そうでない場合にはＳ’６に戻る。なお、シャッターボタン３６の半押しに代えて注目画像特定指示操作（例えば、ボタン３７の押し下げ）が行なわれた場合にＳ’８に遷移し、そうでない場合にはＳ’６に戻るようにしてもよい。
【００６３】
ステップＳ’８：（保存記録する画像が格納された領域の決定）
上記ステップＳ’７で注目画像特定指示操作がなされた場合には、制御部２０はＤＲＡＭ１４の画像記憶領域のうち、保存記憶開始から保存記憶終了の区間を決定する。すなわち、ＤＲＡＭ１４の画像記憶領域Ｇｊから上記ステップＳ３で設定された撮像時間Ａでの撮影枚数（ｋ１枚）分遡った画像記憶領域Ｇｄと撮像時間Ｂを経過するまでの撮影枚数（ｋ２枚）分を求めて、画像記憶領域Ｇｄに記憶された画像を含むｋ１＋ｋ２＋１枚分の画像データが記憶されている画像記憶領域Ｇｄ〜Ｇｊ〜Ｇｍを決定する。
【００６４】
例えば、画像記憶領域の個数を３０、撮像時間として１．２：１．０（すなわち、前半撮像時間Ａ＝１．２秒、後半撮像時間Ｂ＝１．０秒）が設定され、撮影時間間隔＝０．２秒とし、画像記憶領域Ｇ１０に記憶された画像が注目画像として指定（シャッターボタン３６半押し）されたとすると、指定時点から前半１．２秒間の撮影枚数はｋ１＝１．２／０．２＝６枚であるから、１．２秒前の画像記憶領域は１０−６＝４からＧ４として求めることができる。また、指定時点から１．０秒までの撮影枚数はｋ２＝１．０／０．２＝５枚であるから、１．０秒後の画像記憶領域は１０＋５＝１５からＧ１５として求めることができる。したがって、ＤＲＡＭ１４の画像記憶領域Ｇ４〜Ｇ１５が保存記録する画像が格納された画像記憶領域（すなわち、指定時点の前後の画像が記憶された領域）となる。
【００６５】
ステップＳ’９：（画像の保存記録）
制御部２０はＤＲＡＭ１４の画像記憶領域Ｇｄ〜Ｇｊ〜Ｇｍに記憶されている画像データを順次取り出してＪＰＥＧ圧縮処理してフラッシュメモリ５０に保存記憶する。
【００６６】
また、このとき同時に、画像登録情報リスト６０の画像番号欄６１に記録画像の画像番号を、撮像モード欄６２に連続撮像を意味するコード（実施例では、連写の場合は「１１」をムービー撮影の場合には「１２」）を、撮像日時欄６３に撮像年月日および撮像時刻（時／分／秒）を、撮像コード欄６４に撮像コード（実施例では、連続撮像開始時の画像には「１」、連続撮像終了時の画像には「３」、その他の時点の連続撮像画像には「２」）を、注目画像フラグ欄６５には画像記憶領域Ｇｄに記憶された画像を含む複数枚の画像についてはフラグ値「０」を書込み、画像記憶領域Ｇｊの画像（注目画像）についてはフラグ値「１」を書込む。また、その他の情報欄６６には必要情報を書込む。また、設定された撮像時間分の画像の記録処理が終了するとＳ’１０に遷移する。
【００６７】
ステップＳ’１０：（連続撮像終了判定）
制御部２０は連続撮像が終了したか否かを調べ、終了していない場合にはＳ’６に戻る。また、終了の判定は連写の場合には所定時間を経過したか否かで判定する。また、ムービー撮影の場合には連続撮像終了操作（例えば、シャッターボタン３６の全押し、あるいは電源スイッチオフ）によって判定する。なお、連写の場合に連続撮像終了操作（例えば、シャッターボタン３６の全押し）を行なうようにしてもよい。
【００６８】
なお、上記フローチャートでは注目画像を複数特定できるようにＳ’６に戻るようにしたが、注目画像を１つだけ特定できるようにしてもよく、この場合には上記フローチャートで連続撮像が終了していない場合にＳ’９に戻るようにすればよい。
【００６９】
また、注目画像を複数特定する場合にはフラグ値を注目画像毎に変えるようにしてもよい（例えば、ステップＳ’９で注目画像をカウントし、そのカウント値をフラグ値とすることによりフラグ値を注目画像毎に変えることができる）。
【００７０】
また、上記フローチャートではステップＳ’９で注目画像以外の連続撮像画像について画像登録情報リスト６０の注目画像フラグ欄６５にフラグ値＝「０」を書込むようにしたが、画像登録情報リスト６０の注目画像フラグ欄６５の初期値を「０」にしておけば、その書込みの処理を省略してもよい。
【００７１】
また、上記フローチャートでは注目画像の特定を画像情報登録リスト６０上への注目画像フラグの書込によって行なっているが、記録時に画像に特定のマークを付けるようにして注目画像を特定するようにしてもよい。
【００７２】
また、上記フローチャートではステップＳ’８で保存記録する画像が格納された領域を設定された撮像時間から撮影枚数を得てから求めているが、図１１（ｂ）のような設定画面を用いて撮影枚数を設定するようにした場合には、設定された撮影枚数を基に保存記録する画像が格納された領域を決定することができる。
【００７３】
なお、上記ステップＳ’２，Ｓ’３で撮像時間を可変設定したが、ステップＳ’２，Ｓ’３を省略して、撮像時間を固定（例えば、前後の撮像時間＝γ：δ）にすることにより、コード付け処理（＝フラグ設定）を省略するようにしてもよい（固定にすると前後の撮影時間が同じになるのでフラグを記録しなくても注目画像も同じ順番となり対照表示可能となる）。
【００７４】
上記構成により、連続撮像中に所望の動作の瞬間を特定できるので、再生時にその画像（注目画像）を基準として対照表示が可能となる。
また、注目画像とその前後の所定時間の画像を記録するようにした場合には、撮像開始時の動作が緩慢な場合（例えば、ゴルフのスイング開始時）に、注目動作にいたるまで時間が掛かり過ぎて、場合によっては撮像時間を経過して注目画像が得られないというようなことが生じない。
【００７５】
［注目画像の対照表示動作］
図４は記録された２組の連続撮像画像の注目画像を対照表示する場合のデジタルカメラの動作例を示すフローチャートであり、図５は連続撮像画像の注目画像の対照表示の一例の説明図である。注目画像を基準とした画像の対照表示処理は画像対照表示手段（プログラム）に基づいて制御部２０によって行われる。
【００７６】
ステップＴ１：（再生モードの判定）
再生モードが選択されたとき、制御部２０はその再生モードが連写画像の再生やムービー撮影画像の再生のような連続撮像画像の再生か否かを判定し、連続撮像画像の再生の場合にはＴ２に遷移し、そうでない場合には他の撮像画像の再生処理に遷移する。
【００７７】
ステップＴ２：（連続撮像画像および注目画像の検索）
制御部２０は画像情報登録リストの撮像モード欄６２を撮像モードコードをキーとして連写画像またはムービー撮影画像のような連続撮像画像を検索し、検索された連続撮像画像中から注目画像フラグの値が「１」の画像の画像番号を取り出してＴ３に遷移する。検索された連続撮像画像中の注目画像フラグの値が「１」の画像がない場合（注目画像の特定がされていない画像）にはさらに連続撮像画像の検索を繰り返す。
【００７８】
ステップＴ３：（注目画像の取り出しと縮小処理）
制御部２０は上記ステップＴ２で取り出した画像番号を基にして、フラッシュメモリ５０から注目画像を読み出して伸張処理した後に、間引き処理して１／２のサイズに縮小処理してＤＲＡＭ１４に記憶する。
【００７９】
ステップＴ４：（注目画像対照表示）
制御部２０は上記ステップで縮小処理した１／２サイズの縮小注目画像を表示部４０に送り、画面の左側に配置して表示する。なお、ステップＴ２〜Ｔ５の最初の１巡目は検索された連続撮像画像が１組であるため、図５（ａ）に示すように画面１／２（この例では左側画面）には縮小注目画像が表示され、画面１／２（この例では右側画面）は空白表示されるが、ステップＴ２〜Ｔ５の２巡目からは図５（ｂ）に示すように右側画面に注目画像が対照表示される（図５（ａ）の例はゴルファーＡによるインパクトの瞬間を注目画像とした例であり、（ｂ）の例はゴルファーＡ，Ｂによるインパクトの瞬間を対照表示した例である）。
【００８０】
対照表示は左右いずれかの注目画像を基準の注目画像として反対側に表示する注目画像を図５（ｃ）に示すように順次入替える。実施例では左側の注目画像を基準注目画像としている（図５（ａ）〜（ｃ）の例ではゴルファーＡのインパクトの瞬間画像が基準の注目画像となっている）。
【００８１】
ステップＴ５：（注目画像確認）
フラッシュメモリ５０には同じ動作パターンに属する連続撮像画像だけが記録されているわけではないので、所望の動作パターン以外の動作パターンが対照表示される可能性がある（例えば、所望の動作パターン＝ゴルフのスイング、所望の動作パターン以外の動作パターン＝踊りの振り付け、テニスのスイング等）。
【００８２】
そこで、ユーザは注目画像キャンセルボタン（例えば、ボタン３７）を押して不用な注目画像をキャンセルできる。制御部２０は、注目画像表示後、操作部３０からの状態信号を調べて、注目画像キャンセルボタンの押し下げがあった場合にはその画像をクリアしてＴ２に戻って、新たな連続撮像画像を検索する。また、注目画像キャンセルボタンの押し下げがない場合にはＴ６に遷移する。
【００８３】
ステップＴ６：（対照注目画像の入替え操作の有無判定）
上記ステップＴ４で対照表示の基準とした注目画像が基準の注目画像として相応しくない場合がある。このような場合に備えてユーザは画面の最上欄の案内表示「基準画像＜ＯＫ＞  ＜ＮＯ＞」のいずれかをカーソル移動ボタン操作或いはマウスのクリックにより指定する。制御部２０は基準画像＜ＮＯ＞が指定されるとＴ２に戻って新たな連続撮像画像を検索する。なお、画面右側に注目画像が表示されている場合には図５（ｄ）に示すようにその注目画像を基準画像として画面左側に移動させ、右側をクリアしたのちＴ２に戻る。
また、画面右側に注目画像が表示され、且つ画面左側に表示された注目画像について基準画像＜ＯＫ＞が指定された場合にはＴ７のスクロール表示に移行する。画面左側に表示された注目画像について基準画像＜ＯＫ＞が指定されても右側に注目画像が対照表示されていない場合にはＴ２に戻る。なお、「基準画像＜ＯＫ＞  ＜ＮＯ＞」のいずれかをカーソル移動ボタン操作或いはマウスのクリックにより指定する代りに、「ＮＯ」の場合にだけシャッターボタン３６の半押しまたは全押しを行なうようにしてもよい。また、シャッターボタン３６の半押しまたは全押しがない場合は「ＯＫ」とみなしてＴ７に移行する（なお、「ＯＫ」の場合にだけシャッターボタン３６の半押しまたは全押しを行なうようにしてもよい）。
【００８４】
ステップＴ７：（スクロール表示判定）
上記Ｔ６で注目画像が対照表示された場合には、ユーザは図５（ｅ）以降に示すような画面最上段のスクロール案内表示の「同時」、「左」、「右」のいずれかをカーソル移動操作またはマウスのクリックにより指定して、２画像の同時スクロール或いは、左、または右画面だけのスクロールを行なうことができる。
【００８５】
制御部２０はスクロール案内表示の「同時」が指定されるとＴ８に遷移し、「右」が指定されるとＴ９に遷移し、「左」が指定されるとＴ１０に遷移する。また、スクロール案内表示が指定されない場合（例えば、シャッターボタンが操作された場合）には、スクロールなしとしてＴ１２に遷移する。
【００８６】
ステップＴ８：（同時スクロール表示）
制御部２０はスクロール案内表示の「同時」が指定された後、前後スクロールボタン等の操作による前方スクロール指示があると、表示されている２つの画像の前（過去）の画像を所定時間（或いは所定コマ数）分だけ順に遡及させてフラッシュメモリ５０から取り出して伸張処理し、それぞれ１／２に縮小処理してＤＲＡＭ１４に記憶し画像表示する。また、後方スクロール指示があると、表示されている２つの画像に続くそれぞれ２つの画像を所定時間（或いは所定コマ数）分だけ順にフラッシュメモリ５０から取り出して伸張処理し、それぞれ１／２に縮小処理してＤＲＡＭ１４に記憶し画像表示する。なお、図５（ｅ）は前方同時スクロールの例であり、（ｅ’）は後方同時スクロールの例である。
【００８７】
なお、図１２に示すように最初の画像から最後の画像まで順（逆）方向スクロール表示してもよい。この場合、図１２（ａ）〜（ｄ）に示すように最初（最後）の画像は同時表示可能な最も前（後）の画像（図１２（ａ））でよいし、図１２（α），（ａ’）〜（ｄ’）に示すようにどちらか長い方の画像（図の例ではゴルファーＣのスタート画像（図１２（α））から表示を開始し、途中から同時表示となるようにしてもよい（図１２（ａ））。
【００８８】
図１２（ａ）〜（ｄ）の例は、ゴルファーＡのスイングの方が早いので、インパクト（図１２（ｃ））から遡り過ぎると比較対照しても無意味となるので、動作が比較しやすい図１２（ａ）から同時表示した例である。また、図１２（α），（ａ’）〜（ｄ’）の例は、ゴルファーＡの撮影枚数＞ゴルファーＣの撮影枚数で、インパクト（図１２（ｃ））から遡った場合にゴルファーＣの撮像コマがなくなってしまうが、ゴルファーＡのスタート画像（図１２（α））まで遡って、ゴルファーＡのスタート画像を表示し、順スクロールを続行して、途中でゴルファーＣの画像が表示された時点から動作が比較しやすい画像を選んで、図１２（ａ’）から同時表示した例である。
【００８９】
また、同時スクロール表示は前後スクロールボタン等の操作により自動的に行なうようにしてもよいがスクロール速度が早過ぎるとユーザによるコマ毎の対照観察ができないので、実施例ではユーザによるコマ毎の対照観察の便宜上、前後スクロールボタン等の操作１回毎に１コマずつスクロールするようにしている。また、ユーザがスクロール終了ボタン等の操作により同時スクロール表示を終了させるとＴ１１に遷移する。
【００９０】
ステップＴ９：（右スクロール表示）
制御部２０はスクロール案内表示の「右」が指定された後、前後スクロールボタン等の操作による前方スクロール指示があると、右側に表示されている画像の前（過去）の画像を所定時間（或いは所定コマ数）分だけ順に遡及させてフラッシュメモリ５０から取り出して伸張処理し、１／２に縮小処理してＤＲＡＭ１４に記憶し画像表示する。また、後方スクロール指示があると、右側画面に表示されている画像に続く画像を所定時間（或いは所定コマ数）分だけ順にフラッシュメモリ５０から取り出して伸張処理し、１／２に縮小処理してＤＲＡＭ１４に記憶し画像表示する。なお、図５（ｆ）は右画面前方スクロールの例であり、図５（ｆ’）は右画面後方スクロールの例である。
【００９１】
右スクロール表示も同時スクロール表示の場合と同様に前後スクロールボタン等の操作により自動的に行なうようにしてもよいがスクロール速度が早過ぎるとユーザによるコマ毎の対照観察ができないので、実施例ではユーザによるコマ毎の対照観察の便宜上、前後スクロールボタン等の操作１回毎に１コマずつスクロールするようにしている。また、ユーザがスクロール終了ボタン等の操作により右画面のスクロール表示を終了させるとＴ１１に遷移する。
【００９２】
ステップＴ１０：（左スクロール表示）
制御部２０はスクロール案内表示の「左」が指定された後、前後スクロールボタン等の操作による前方スクロール指示があると、画面左側に表示されている画像の前（過去）の画像を所定時間（或いは所定コマ数）分だけ順に遡及させてフラッシュメモリ５０から取り出して伸張処理し、１／２に縮小処理してＤＲＡＭ１４に記憶し画像表示する。また、後方スクロール指示があると、画面左側に表示されている画像に続く画像を所定時間（或いは所定コマ数）分だけ順にフラッシュメモリ５０から取り出して伸張処理し、１／２に縮小処理してＤＲＡＭ１４に記憶し画像表示する（図５（ｇ），（ｇ’））。
【００９３】
左スクロール表示も同時スクロール表示の場合と同様に前後スクロールボタン等の操作により自動的に行なうようにしてもよいがスクロール速度が早過ぎるとユーザによるコマ毎の対照観察ができないので、実施例ではユーザによるコマ毎の対照観察の便宜上、前後スクロールボタン等の操作１回毎に１コマずつスクロールするようにしている。また、ユーザがスクロール終了ボタン等の操作により左画面のスクロール表示を終了させるとＴ１１に遷移する。
【００９４】
ステップＴ１１：（スクロール表示終了判定）
ユーザが更にスクロール終了ボタンを押した場合には、制御部２０はスクロール表示を終了させ、画面およびＤＲＡＭ１４の記憶画像をクリアして画面に連続撮像画像の対照表示続行か終了かの選択画面（図示省略）を表示してＴ１２に遷移する。また、最後のスクロール後、所定時間（実施例では２０秒）経過しても２度目のスクロールボタンが押されない場合にはＴ７に戻る。
【００９５】
ステップＴ１２：（対照表示終了判定）
上記ステップＴ１１で表示した選択画面で連続撮像画像の対照表示続行が選択された場合にはＴ２に戻り、対照表示終了が選択された場合には対照表示処理を終了する。
【００９６】
上記フローチャートでは２つの連続撮像画像を注目画像を基準として画面の左右に対照表示するようにしたが、２つの連続撮像画像を注目画像を基準として１画面上に交互に表示するようにしてもよく、また、２つの連続撮像画像を注目画像を基準として１画面上に重畳表示（合成表示）するようにしてもよい。例えば、上記フローチャートのステップＴ８で２つの連続撮像画像を注目画像を基準として１画面上に交互に表示或いは重畳表示するようすればよい。
【００９７】
また、上記フローチャートでは２つの連続撮像画像を対照表示する例を示したが、対照表示される連続撮像画像は２つに限定されない。すなわち、ｎ個（ｎ≧２）の画像を対照表示するようにしてもよい。この場合、ステップＴ３での縮小率を１／ｎとし、ステップＴ４では１画面にｎ個の画像を表示するマルチ画像表示で注目画像が対照表示し、ステップＴ５，Ｔ６で特定の位置（例えば、左上隅）の画像を基準の注目画像とし、ステップＴ７以降では左右画面スクロールに代えて、指定した位置の画像をスクロールさせることによりｎ個の画像の対照表示を行なうことができる。
【００９８】
上記構成により、注目画像を対照表示させてから前後の画像を表示して比べることができるので、従来のように注目動作の写っている画像のコマがずれて比較ができないようなことは生じない。また、注目画像の前後の画像の対照表示もできるので、動作の詳細な観察或いは分析が可能となる。
【００９９】
なお、上記説明ではデジタルカメラの表示部に連続撮像画像の注目画像を対照表示する例について述べたが、本発明の連続撮像画像の注目画像の対照表示方法はデジタルカメラ等の撮像装置への適用に限定されず、記録した連続撮像画像を再生可能な画像表示装置にも適用できる。
【０１００】
＜実施例２＞
本実施例は、記録用メモリに記録された連続画像の中から注目画像を選択／指定してマーク付け等を行なうことにより注目動作の写っているコマ（注目画像）を中心とした連続再生を行なう例であり、また、このようにして注目画像を指定した２組の連続撮像画像を対応付けて対照表示した例である。
【０１０１】
［撮像後の注目画像指定］
図６は、連続撮像画像を再生して注目画像を指定する場合のデジタルカメラの動作例を示すフローチャートであり、図７は、再生した連写画像の中から注目画像を指定する例の説明図である。再生した連写画像の中からの注目画像の指定処理は撮像後の注目画像指定手段（プログラム）に基づいて制御部２０によって行なわれる。
【０１０２】
ステップＵ１：（再生モードの判定）
再生モードが選択されたとき、制御部２０はその再生モードが連写画像の再生やムービー撮影画像の再生のような連続撮像画像の再生か否かを判定し、連続撮像画像の再生の場合にはＵ２に遷移し、そうでない場合には他の撮像画像の再生処理に遷移する。
【０１０３】
ステップＵ２：（画像情報登録リストの読み出しと一時記憶）
制御部２０は本処理で読み出し／書込速度を向上させるためにフラッシュメモリ５０に記録されている画像情報登録リスト６０を読み出してＤＲＡＭ１４に一時記憶する。
【０１０４】
ステップＵ３：（連続撮像画像の検索）
制御部２０は画像情報登録リスト６０の撮像モード欄６２を撮像モードコードをキーとして連写画像またはムービー撮影画像のような連続撮像画像を検索し、連続撮像画像があった場合にはＵ４に遷移する。
【０１０５】
ステップＵ４：（連続撮像画像再生／動作パターン分類重畳表示）
制御部２０は検索された連続撮像画像の画像番号を基にしてフラッシュメモリ５０から画像データを読み出して１画面ずつ伸張処理し、伸張後の画像データ１つを表示部４０に送って画面表示する。また、このとき、動作パターンの分類をアイコン等で重畳表示するようにすることが望ましい。
【０１０６】
なお、検索された連続撮像画像の画像番号を基にしてフラッシュメモリ５０から画像データを読み出して順次１画面ずつ伸張処理し、伸張後の複数の画像データを表示部４０に送ってマルチ画面表示するようにしてもよい。また、このとき、動作パターンの分類をアイコン等で重畳表示するようにしてもよい。
【０１０７】
ステップＵ５：（分類指定操作の有無判定および対象外画像の除外）
動作パターンの分類が連続撮像画像に重畳表示するようにした場合には、制御部２０はユーザがカーソルボタン操作またはマウスのクリックによりユーザが動作パターン分類（その他の分類、或いは分類なしを含む）を指定するとＵ６に遷移する。また、所定時間を経過しても分類指定操作指定がなされない場合、および対象外画像除外指定がなされた場合には、本処理の対象外の連続撮像画像として当該連続撮像画像をスキップして新たな連続撮像画像検索のためにＵ３に戻る。
【０１０８】
ステップＵ６：（注目画像特定指示操作の有無判定）
制御部２０は操作部３０から送られる状態信号を調べ、シャッターボタン３６が半押しされたか否かを判定する。シャッターボタン３６が半押しされた場合には注目画像特定指示操作がなされたものとしてＵ７に遷移し、そうでない場合にはＵ８に遷移する。なお、シャッターボタン３６の半押しに代えて注目画像特定指示操作（例えば、ボタン３７の押し下げ）が行なわれた場合にＵ７に遷移し、そうでない場合にはＵ８に遷移するようにしてもよい。
【０１０９】
ステップＵ７：（注目画像フラグ書込（注目画像特定指示あり））
上記ステップＵ６で注目画像特定指示操作がなされた場合には、制御部２０は注目画像特定フラグをオン（フラグ値＝１）にしてＵ９に遷移する。
【０１１０】
ステップＵ８：（注目画像フラグ書込（注目画像特定指示なし））
上記ステップＵ６で注目画像特定指示操作がなされなかった場合には、制御部２０は注目画像特定フラグをオフ（フラグ値＝０）にしてＵ９に遷移する。
【０１１１】
ステップＵ９：（画像登録リストの部分的更新）
制御部２０は画像情報登録リスト６０の注目画像フラグ欄６５にステップＵ７またはＵ８で設定されたフラグ値を書込む。
【０１１２】
ステップＵ１０：（画像終了判定）
制御部２０は当該連続撮像画像が終了したか否かを調べ、終了していない場合にはＵ４に戻って連続撮像画像中のつぎの画像の表示等を行なう。また、終了の判定は画像情報登録リスト６０の撮像コード欄６４の値が連続撮像終了コード（実施例では「３」）か否かで判定する。
【０１１３】
ステップＵ１１：（連続撮像画像終了判定）
制御部２０は、フラッシュメモリ５０に記憶されている連続撮像画像の組全ての処理が終了したか否かを調べ、終了している場合にはＵ１２に遷移し、終了していない場合にはＵ３に戻って新たな連続撮像画像を検索する。
【０１１４】
ステップＵ１２：（フラッシュメモリ上の画像情報登録リストの更新）
連続撮像画像の全ての組の処理が終了すると、ＤＲＡＭ１４に記録していた画像情報登録リスト６０をフラッシュメモリ５０の画像情報登録リスト格納領域に書込む（前回の画像情報登録リストはこれにより更新される）。
【０１１５】
なお、上記フローチャートでは注目画像を複数特定できるようにしたが、注目画像を１つだけ特定するようにすることもできる。この場合には、ステップＵ７で注目フラグを「１」としたあと、ステップＵ６でのシャッター半押し操作をロックするようにすればよい（但し、Ｕ３でロックを解除するようにする）。
【０１１６】
また、上記フローチャートではステップＵ８で注目画像以外の連続撮像画像について画像登録情報リスト６０の注目画像フラグ欄６５にフラグ値＝「０」を書込むようにしたが、画像登録情報リスト６０の注目画像フラグ欄６５の初期値を「０」にしておけば、Ｕ８を省略してもよい。
【０１１７】
また、上記フローチャートでは注目画像の特定を画像情報登録リスト上への注目画像フラグの書込によって行なっているが、記録時に画像に特定のマークを付けるようにして注目画像を特定するようにしてもよい。
【０１１８】
上記構成により、記録後に連続撮像画像中から注目画像を選択設定できるので、撮像時に注目画像が設定されていない連続撮像画像についても注目画像を設定して対照表示を行なうことができる。また、撮像時に注目画像が設定されている連続撮像画像についても新たに注目画像を設定したり、注目画像の設定を解除したり、更新したりすることができる。
【０１１９】
また、図７で（ａ），（ｂ）は表示部４０に表示されたゴルフのスイング画像中のインパクト前の画像でありこの画像が表示された時にはシャッターボタン３６は半押しされなかったので注目画像フラグには０がセットされる。また、（ｃ）はインパクトの瞬間の画像であり、この画像が表示された時にシャッターボタン３６が半押しされたので、注目画像フラグには１がセットされる。（ｄ）はインパクト後の画像であり、この画像が表示された時には既にシャッター３６が半押しされた後なのでシャッター３６は半押しされず注目画像フラグには０がセットされる。
【０１２０】
＜実施例３＞
本実施例は、連続撮像時に記録済みの注目画像を再生表示してスルー画像と対照表示しつつ注目画像を指定する例であり、図８は、その場合のデジタルカメラの動作例を示すフローチャートであり、図９は、連続撮像時に表示する注目画像とスルー画像の説明図である。連続撮像時の注目画像特定処理は注目画像指定手段（プログラム）に基づいて制御部２０によって行なわれる。
【０１２１】
［撮像時の注目画像特定／記録動作例（３）］
ステップＶ１：（撮像モードの判定）
撮像モードが選択されたとき、制御部２０はその撮像モードが連写モードやムービー撮影モードのような連続撮像か否かを判定し、連続撮像の場合にはＶ２に遷移し、そうでない場合には他の撮像モードの処理に遷移する。
【０１２２】
ステップＶ２：（連続撮像画像および注目画像の検索）
制御部２０は画像情報登録リスト６０の撮像モード欄６２を撮像モードコードをキーとして連写画像またはムービー撮影画像のような連続撮像画像を検索し、検索された連続撮像画像中から注目画像フラグの値が「１」の画像の画像番号を取り出してＶ３に遷移する。検索された連続撮像画像中の注目画像フラグの値が「１」の画像がない場合（注目画像の特定がされていない画像）にはさらに連続撮像画像の検索を繰り返す。
【０１２３】
ステップＶ３：（注目画像の取り出しと縮小処理）
制御部２０は上記ステップＶ２で取り出した画像番号を基にして、フラッシュメモリ５０から注目画像を読み出して伸張処理した後に、間引き処理して１／２のサイズに縮小処理してＤＲＡＭ１４に記憶する。
【０１２４】
ステップＶ４：（注目画像表示）
制御部２０は上記ステップで縮小処理した１／２サイズの縮小注目画像を表示部４０に送り、図９（ａ）に示すように画面の左側（右側でもよい）に配置して表示する。
【０１２５】
ステップＶ５：（注目画像確認）
フラッシュメモリ５０には同じ動作パターンに属する連続撮像画像だけが記録されているわけではないので、所望の動作パターン以外の動作パターンが対照表示される可能性がある（例えば、所望の動作パターン＝ゴルフのスイング、所望の動作パターン以外の動作パターン＝踊りの振り付け、テニスのスイング等）。
また、所望の動作パターンであっても撮像時の参考にならないものもある。
【０１２６】
そこで、ユーザは注目画像キャンセルボタン（例えば、ボタン３７）を押して不用な注目画像をキャンセルできる。制御部２０は、注目画像表示後、操作部３０からの状態信号を調べて、注目画像キャンセルボタンの押し下げがあった場合にはその画像をクリアしてＶ２に戻って、新たな連続撮像画像を検索する。また、注目画像キャンセルボタンの押し下げがない場合にはＶ６に遷移する。
【０１２７】
ステップＶ６：（画像の取込，スルー画像表示等）
制御部２０の制御下でデジタルカメラ１００はカメラの視野内の被写体画像の所定時間間隔（例えば、０．２秒間隔）での取込み、信号処理、ＤＲＡＭ１４への記憶、および表示部４０へのスルー画像表示を開始する。なお、この場合表示部４０に表示されるスルー画像は１／２サイズに縮小処理され、図９（ｂ）に示すように表示画面の右側半分に注目画像と対照表示される。
【０１２８】
ステップＶ７：（連続撮像開始指示操作の有無判定）
制御部２０は操作部３０から送られる状態信号を調べ、シャッターボタン３６が全押しされたか否かを判定する。シャッターボタン３６が全押しされた場合には連続撮像開始指示操作があったものとしてＶ８に遷移する。シャッターボタン３６が全押しされない場合には全押しするまで待つ。
【０１２９】
ステップＶ８：（注目画像特定指示操作の有無判定）
ユーザは、表示画面に表示された注目画像（注目動作のサンプル画像）とスルー画像を見比べて、注目画像を参考にして図９（ｃ）に示すようにスルー画像が注目画像の動作に類似した動作を行なうときにシャッターボタン３６を半押しする。
制御部２０は操作部３０から送られる状態信号を調べ、シャッターボタン３６が半押しされたか否かを判定する。シャッターボタン３６が半押しされた場合には注目画像特定指示操作がなされたものとしてＶ９に遷移し、そうでない場合にはＶ１０に遷移する。なお、シャッターボタン３６の半押しに代えて注目画像特定指示操作（例えば、ボタン３７の押し下げ）が行なわれた場合にＶ９に遷移し、そうでない場合にはＶ１０に遷移するようにしてもよい。
【０１３０】
ステップＶ９：（注目画像特定指示ありの場合）
上記ステップＶ８で注目画像特定指示操作がなされた場合には、制御部２０は注目画像特定フラグをオン（フラグ値＝１）にしてＶ１１に遷移する。
【０１３１】
ステップＶ１０：（注目画像特定指示なしの場合）
上記ステップＶ８で注目画像特定指示操作がなされなかった場合には、制御部２０は注目画像特定フラグをオフ（フラグ値＝０）にしてＶ１１に遷移する。
【０１３２】
ステップＶ１１：（画像記録処理）
制御部２０はＤＲＡＭ１４に一時記憶されていた画像データを取り出してＪＰＥＧ圧縮してフラッシュメモリ５０に 保存記録する。
また、このとき同時に、画像情報登録リスト６０の画像番号欄６１に記録画像の画像番号を、撮像モード欄６２に連続撮像を意味するコード（実施例では、連写の場合は「１１」をムービー撮影の場合には「１２」）を、撮像日時欄６３に撮像年月日および撮像時刻（時／分／秒）を、撮像コード欄６４に撮像コード（実施例では、連続撮像開始時の画像には「１」、連続撮像終了時の画像には「３」、その他の時点の連続撮像画像には「２」）を、注目画像フラグ欄６５にはステップＶ９またはＶ６で設定されたフラグ値を、その他の情報欄６６には必要情報を書込む。
【０１３３】
ステップＶ１２：（連続撮像終了判定）
制御部２０は連続撮像が終了したか否かを調べ、終了していない場合にはＶ８に戻る。また、終了の判定は連写の場合には所定時間を経過したか否かで判定する。また、ムービー撮影の場合には連続撮像終了操作（例えば、シャッターボタン３６の全押し、あるいは電源スイッチオフ）によって判定する。なお、連写の場合に連続撮像終了操作（例えば、シャッターボタン３６の全押し）を行なうようにしてもよい。
【０１３４】
なお、上記フローチャートでは注目画像を複数特定できるようにＶ８に戻るようにしたが、注目画像を１つだけ特定できるようにしてもよく、この場合には上記フローチャートで連続撮像が終了していない場合にＶ１１に戻るようにすればよい。
【０１３５】
また、注目画像を複数特定する場合には、フラグ値を注目画像毎に変えるようにしてもよい（例えば、ステップＶ９で注目画像をカウントし、そのカウント値をフラグ値とすることによりフラグ値を注目画像毎に変えることができる）。
【０１３６】
また、上記フローチャートではステップＶ１０で注目画像以外の連続撮像画像について画像登録情報リスト６０の注目画像フラグ欄６５にフラグ値＝「０」を書込むようにしたが、画像登録情報リスト６０の注目画像フラグ欄６５の初期値を「０」にしておけば、ステップＶ１０を省略してもよい。
【０１３７】
また、上記フローチャートでは注目画像の特定を画像情報登録リスト上への注目画像フラグの書込によって行なっているが、記録時に画像に特定のマークを付けるようにして注目画像を特定するようにしてもよい。
【０１３８】
また、上記フローチャートでは連続撮像画像を順次記録しながら注目画像を特定したが、これに限られず、取込んだ画像をＤＲＡＭ１４に循環記憶し、注目画像が特定された時には注目画像にコード付けすると共に、注目画像とその前後の所定時間に撮像された連続撮像画像（例えば、インパクトの前後１秒間の画像）をＤＲＡＭ１４から取り出してＪＰＥＧ圧縮処理して保存記録するようにしてもよい。
【０１３９】
［撮像時の注目画像特定／記録動作例（４）］
図８のフローチャートでは連続撮像画像を順次記録しながら注目画像を特定したが、これに限られず、図１３に示すように取込んだ画像をＤＲＡＭ１４に循環記憶し、注目画像が特定された時には注目画像にコード付けすると共に、注目画像とその前後の所定時間に撮像された連続撮像画像（例えば、インパクトの前後１秒間の画像）画像をＤＲＡＭ１４から取り出してＪＰＥＧ圧縮処理して保存記録するようにしてもよい。なお、この場合、ＤＲＡＭ１４には複数枚の画像を記憶できるように複数の画像領域Ｇ１〜Ｇｎが確保されており、画像はＧ１〜Ｇｎに順次記憶され、取込まれた画像数がｎを越えるとＧ１に戻って画像が上書きされ記憶される（すなわち、循環記憶される）。
【０１４０】
図１３は、連続撮像時に注目画像の特定を行なう動作を含む場合のデジタルカメラの動作例を示すフローチャートである。連続撮像時の注目画像特定処理は注目画像指定手段（プログラム）に基づいて制御部２０によって行なわれる。
【０１４１】
ステップＶ’１：（撮像モードの判定）
撮像モードが選択されたとき、制御部２０はその撮像モードが連写モードやムービー撮影モードのような連続撮像か否かを判定し、連続撮像の場合にはＶ’２に遷移し、そうでない場合には他の撮像モードの処理に遷移する。
【０１４２】
ステップＶ’２：（撮像時間設定画面の表示）
制御部２０は、表示部４０に図１１（ａ）に示すような注目画像指定前後の撮影時間Ａ、Ｂを設定する撮影時間設定（選択）画面を表示しユーザによる設定を促す。なお、撮影時間の設定に代えて図１１（ｂ）に示すような撮影枚数設定（選択）画面を表示して撮影枚数を選択できるようにしてもよい。
【０１４３】
ステップＶ’３：（撮像時間の設定）
図１１（ａ）でユーザがカーソルまたはマウス等のポインティングデバイスで画面上に表示されたメニューを指定するとデジタルカメラ１００に標準設定されている注目画像指定時点の撮影時間Ａ：Ｂ（Ａは指定時点より前の撮影時間、Ｂは指定時点より後の撮影時間）が設定される。また、表示されたメニューのうち「指定なし」を指定するとデジタルカメラ１００に標準設定されている注目画像指定時の撮像時間α：β（例えば、前後各１秒）が設定される。
【０１４４】
ステップＶ’４：（連続撮像画像および注目画像の検索）
制御部２０は画像情報登録リスト６０の撮像モード欄６２を撮像モードコードをキーとして連写画像またはムービー撮影画像のような連続撮像画像を検索し、検索された連続撮像画像中から注目画像フラグの値が「１」の画像の画像番号を取り出してＶ’４に遷移する。検索された連続撮像画像中の注目画像フラグの値が「１」の画像がない場合（注目画像の特定がされていない画像）にはさらに連続撮像画像の検索を繰り返す。
【０１４５】
ステップＶ’５：（注目画像の取り出しと縮小処理）
制御部２０は上記ステップＶ’４で取り出した画像番号を基にして、フラッシュメモリ５０から注目画像を読み出して伸張処理した後に、間引き処理して１／２のサイズに縮小処理してＤＲＡＭ１４に記憶する。
【０１４６】
ステップＶ’６：（注目画像表示）
制御部２０は上記ステップで縮小処理した１／２サイズの縮小注目画像を表示部４０に送り、図９（ａ）に示すように画面の左側（右側でもよい）に配置して表示する。
【０１４７】
ステップＶ’７：（注目画像確認）
フラッシュメモリ５０には同じ動作パターンに属する連続撮像画像だけが記録されているわけではないので、所望の動作パターン以外の動作パターンが対照表示される可能性がある。また、所望の動作パターンであっても撮像時の参考にならないものもある。
【０１４８】
そこで、ユーザは注目画像キャンセルボタン（例えば、ボタン３７）を押して不用な注目画像をキャンセルできる。制御部２０は、注目画像表示後、操作部３０からの状態信号を調べて、注目画像キャンセルボタンの押し下げがあった場合にはその画像をクリアしてＶ’４に戻って、新たな連続撮像画像を検索する。また、注目画像キャンセルボタンの押し下げがない場合にはＶ’８に遷移する。
【０１４９】
ステップＶ’８：（画像の取込，スルー画像表示の開始）
制御部２０の制御下でデジタルカメラ１００はカメラの視野内の被写体画像のを所定時間間隔（例えば、０．２秒間隔）での取込み、信号処理および取込んだ画像の表示部４０へのスルー画像表示を開始する。
【０１５０】
ステップＶ’９：（連続撮像開始指示操作の有無判定）
制御部２０は操作部３０から送られる状態信号を調べ、シャッターボタン３６が全押しされたか否かを判定する。シャッターボタン３６が全押しされた場合には連続撮像開始指示操作があったものとしてＶ’６に遷移する。シャッターボタン３６が全押しされない場合には全押しされるまで待つ。
【０１５１】
ステップＶ’１０：（画像のＤＲＡＭへの循環記憶）
取込まれた画像を順次ＤＡＲＭ１４の画像記憶領域Ｇｉ（ｉ＝１〜ｎ）に循環記憶する。
【０１５２】
ステップＶ’１１：（注目画像特定指示操作の有無判定）
制御部２０は操作部３０から送られる状態信号を調べ、シャッターボタン３６が半押しされたか否かを判定する。シャッターボタン３６が半押しされた場合には注目画像特定指示操作がなされたものとしてＶ’１２に遷移し、そうでない場合にはＶ’１０に戻る。なお、シャッターボタン３６の半押しに代えて注目画像特定指示操作（例えば、ボタン３７の押し下げ）が行なわれた場合にＶ’１２に遷移し、そうでない場合にはＶ’１０に戻るようにしてもよい。
【０１５３】
ステップＶ’１２：（保存記録する画像が格納された領域の決定）
上記ステップＶ’１１で注目画像特定指示操作がなされた場合には、制御部２０はＤＲＡＭ１４の画像記憶領域のうち、保存記憶開始から保存記憶終了の区間を決定する。すなわち、ＤＲＡＭ１４の画像記憶領域Ｇｊから上記ステップＶ’３で設定された撮像時間Ａでの撮影枚数（ｋ１枚）分遡った画像記憶領域Ｇｄと撮像時間Ｂを経過するまでの撮影枚数（ｋ２枚）分を求めて、画像記憶領域Ｇｄに記憶された画像を含むｋ１＋ｋ２＋１枚分の画像データが記憶されている画像記憶領域Ｇｄ〜Ｇｊ〜Ｇｍを決定する。
【０１５４】
例えば、画像記憶領域の個数を３０、撮像時間として１．２：１．０（すなわち、前半撮像時間Ａ＝１．２秒、後半撮像時間Ｂ＝１．０秒）が設定され、撮影時間間隔＝０．２秒とし、画像記憶領域Ｇ１０に記憶された画像が注目画像として指定（シャッターボタン３６半押し）されたとすると、指定時点から前半１．２秒間の撮影枚数はｋ１＝１．２／０．２＝６枚であるから、１．２秒前の画像記憶領域は１０−６＝４からＧ４として求めることができる。また、指定時点から１．０秒までの撮影枚数はｋ２＝１．０／０．２＝５枚であるから、１．０秒後の画像記憶領域は１０＋５＝１５からＧ１５として求めることができる。したがって、ＤＲＡＭ１４の画像記憶領域Ｇ４〜Ｇ１５が保存記録する画像が格納された画像記憶領域（すなわち、指定時点の前後の画像が記憶された領域）となる。
【０１５５】
ステップＶ’１３：（画像の保存記録）
制御部２０はＤＲＡＭ１４の画像記憶領域Ｇｄ〜Ｇｊ〜Ｇｍに記憶されている画像データを順次取り出してＪＰＥＧ圧縮処理してフラッシュメモリ５０に保存記憶する。
【０１５６】
また、このとき同時に、画像登録情報リスト６０の画像番号欄６１に記録画像の画像番号を、撮像モード欄６２に連続撮像を意味するコード（実施例では、連写の場合は「１１」をムービー撮影の場合には「１２」）を、撮像日時欄６３に撮像年月日および撮像時刻（時／分／秒）を、撮像コード欄６４に撮像コード（実施例では、連続撮像開始時の画像には「１」、連続撮像終了時の画像には「３」、その他の時点の連続撮像画像には「２」）を、注目画像フラグ欄６５には画像記憶領域Ｇｄに記憶された画像を含むｋ枚の画像についてはフラグ値「０」を書込み、画像記憶領域Ｇｊの画像（注目画像）についてはフラグ値「１」を書込む。また、その他の情報欄６６には必要情報を書込む。
また、設定された撮像時間分の画像の記録処理が終了するとＶ’１４に遷移する。
【０１５７】
ステップＶ’１４：（連続撮像終了判定）
制御部２０は連続撮像が終了したか否かを調べ、終了していない場合にはＶ’１０に戻る。また、終了の判定は連写の場合には所定時間を経過したか否かで判定する。また、ムービー撮影の場合には連続撮像終了操作（例えば、シャッターボタン３６の全押し、あるいは電源スイッチオフ）によって判定する。なお、連写の場合に連続撮像終了操作（例えば、シャッターボタン３６の全押し）を行なうようにしてもよい。
【０１５８】
なお、上記フローチャートでは注目画像を複数特定できるようにＶ’１０に戻るようにしたが、注目画像を１つだけ特定できるようにしてもよく、この場合には上記フローチャートで連続撮像が終了していない場合にＶ’１３に戻るようにすればよい。
【０１５９】
また、注目画像を複数特定する場合にはフラグ値を注目画像毎に変えるようにしてもよい（例えば、ステップＶ’９で注目画像をカウントし、そのカウント値をフラグ値とすることによりフラグ値を注目画像毎に変えることができる）。
【０１６０】
また、上記フローチャートではステップＶ’１０で注目画像以外の連続撮像画像について画像登録情報リスト６０の注目画像フラグ欄６５にフラグ値＝「０」を書込むようにしたが、画像登録情報リスト６０の注目画像フラグ欄６５の初期値を「０」にしておけば、ステップＶ’１０を省略してもよい。
【０１６１】
また、上記フローチャートでは注目画像の特定を画像情報登録リスト６０上への注目画像フラグの書込によって行なっているが、記録時に画像に特定のマークを付けるようにして注目画像を特定するようにしてもよい。
【０１６２】
また、上記フローチャートではステップＶ’１２で保存記録する画像が格納された領域を設定された撮像時間から撮影枚数を得てから求めているが、図１１（ｂ）のような設定画面を用いて撮影枚数を設定するようにした場合には、設定された撮影枚数を基に保存記録する画像が格納された領域を決定することができる。
【０１６３】
なお、上記上記ステップＶ’２，Ｖ’３で撮像時間を可変設定したが、ステップＶ’２，Ｖ’３を省略して、撮像時間を固定（例えば、前後の撮像時間＝γ：δ）にすることにより、コード付け処理（＝フラグ設定）を省略するようにしてもよい（固定にすると前後の撮影時間が同じになるのでフラグを記録しなくても注目画像も同じ順番となり対照表示可能となる）。
【０１６４】
上記構成により、連続撮像中に所望の動作の瞬間を特定できるので、再生時にその画像（注目画像）を基準として対象表示が可能となる。
また、注目画像とその前後の所定時間の画像を記録するようにした場合には、撮像開始時の動作が緩慢な場合（例えば、ゴルフのスイング開始時）に、注目動作にいたるまで時間が掛かり過ぎて、場合によっては撮像時間を経過して注目画像が得られないというようなことが生じない。
【０１６５】
以上本発明の一実施例について説明したが、本発明は上記実施例に限定されるものではなく、種々の変形実施が可能であることはいうまでもない。
【０１６６】
【発明の効果】
以上説明したように、本発明によれば、再生時に同じような動作パターンの連続撮像画像の動作を簡単に対照表示させて比較することが可能となった。
【図面の簡単な説明】
【図１】本発明の連続撮像方法および連続撮像画像の対照表示方法を適用可能なデジタルカメラの回路構成の一実施例を示すブロック図である。
【図２】画像情報登録リストの構成例の説明図である。
【図３】連続撮像時に注目画像の特定を行なう動作を含む場合のデジタルカメラの動作例を示すフローチャートである。
【図４】記録された２組の連続撮像画像の注目画像を対照可能に表示する場合のデジタルカメラの動作例を示すフローチャートである。
【図５】連続撮像画像の注目画像の対照表示の一例の説明図である。
【図６】連続撮像画像を再生して注目画像を指定する場合のデジタルカメラの動作例を示すフローチャートである。
【図７】再生した連写画像の中から注目画像を指定する例の説明図である。
【図８】連続撮像時に、記録済みの注目画像を再生表示してスルー画像と対照表示しつつ注目画像を指定する場合のデジタルカメラの動作例を示すフローチャートである。
【図９】連続撮像時に表示する注目画像とスルー画像の説明図である。
【図１０】連続撮像時に注目画像の特定を行なう動作を含む場合のデジタルカメラの動作例を示すフローチャートである。
【図１１】撮影時間設定（選択）画面の一実施例を示す図である。
【図１２】対照表示する画像の同時スクロールの例を示す説明図である。
【図１３】連続撮像時に注目画像の特定を行なう動作を含む場合のデジタルカメラの動作例を示すフローチャートである。
【図１４】被写体（個人）による動作速度の相違例を示す説明図である。
【図１５】連写により撮像した画像の比較表示例である。
【符号の説明】
１１  光学系（連続撮像手段）
１２  信号変換部（連続撮像手段）
１３  信号処理部（連続撮像手段）
２０  制御部（第１の再生制御手段、第２の再生制御手段）
３６  シャッターボタン（撮像指示手段）
４０  表示部（表示手段）
５０  フラッシュメモリ（画像記憶手段、メモリ）
６０  画像情報登録リスト（画像指定手段）
１００  デジタルカメラ（撮像装置、画像再生装置）
【図１】
0004630406.tif 000002
【図２】
0004630406.tif 000003
【図３】
0004630406.tif 000004
【図４】
0004630406.tif 000005
【図５】
0004630406.tif 000006
【図６】
0004630406.tif 000007
【図７】
0004630406.tif 000008
【図８】
0004630406.tif 000009
【図９】
0004630406.tif 000010
【図１０】
0004630406.tif 000011
【図１１】
0004630406.tif 000012
【図１２】
0004630406.tif 000013
【図１３】
0004630406.tif 000014
【図１４】
0004630406.tif 000015
【図１５】
0004630406.tif 000016